(57)【要約】【課題】主に携帯電話や情報端末機器等の各種電子機器に用いられる音響ユニットに関し、良好な音質が得られると共に、使用部品数が少なく、機器の製作も容易なものを提供することを目的とする。【解決手段】液晶表示素子１６を装着する窪部１１Ｂが設けられたケース１１の開口孔１１Ａにスピーカ１２を収容すると共に、ケース１１の上面外周に額縁状のスペーサ１３を貼付し、スペーサ１３上面に貼付した可撓性を有するシート１４によって、ケース１１との間に所定の閉空間１５を形成して音響ユニットを構成することによって、良好な音質が得られると共に、使用部品数が少なく、機器の製作も容易な音響ユニットを得ることができる。【選択図】　図１
2004040621.tif 000002
【特許請求の範囲】
【請求項１】
開口孔及び液晶表示素子を装着する窪部が設けられたケースと、このケースの開口孔に収容されたスピーカと、上記ケースの上面外周に貼付された額縁状のスペーサと、このスペーサ上面に貼付され、上記ケースとの間に所定の閉空間を形成する可撓性を有するシートからなる音響ユニット。
【請求項２】
スペーサの厚さを５０〜２００μｍとした請求項１記載の音響ユニット。
【発明の詳細な説明】
【０００１】
【発明の属する技術分野】
本発明は、主に携帯電話や情報端末機器等の各種電子機器に用いられる音響ユニットに関するものである。
【０００２】
【従来の技術】
近年、携帯電話や情報端末機器等の高機能化や小型化が進む中、これらに用いられるスピーカ等の音響素子や液晶等の表示素子にも、限られたスペースの中で多様な機能を付加したものが求められている。
【０００３】
このような従来の電子機器について、携帯電話を例として図３を用いて説明する。
【０００４】
図３は従来の携帯電話の平面図であり、同図において、１は絶縁樹脂製の筐体で、この筐体１内には、スピーカ２や液晶表示素子３、マイクロフォン４等が、各々ホルダー等によって装着されている。
【０００５】
そして、５は複数の押釦で、この押釦５後方の筐体１内には、複数のスイッチやマイコン等の電子部品が実装された配線基板（図示せず）が収納されて、携帯電話が構成されている。
【０００６】
以上の構成において、複数の押釦５を操作して、例えば電話番号等を入力すると、その電話番号が液晶表示素子３に表示され、その後、所定の、例えば通話用の押釦５Ａを操作すると、その電話番号が発信される。
【０００７】
そして、発信相手につながった後は、スピーカ２やマイクロフォン４を用いて、相手と通話を行うように構成されているものであった。
【０００８】
【発明が解決しようとする課題】
しかしながら、上記従来の携帯電話においては、スピーカ２や液晶表示素子３、マイクロフォン４等を機器へ組込む際、各々が個別の部品であるため、これらを装着するために各々個別のホルダー等が必要となり、携帯電話の使用部品数が多くなると共に、製作にも時間を要するという課題があった。
【０００９】
本発明は、このような従来の課題を解決するものであり、良好な音質が得られると共に、使用部品数が少なく、機器の製作も容易な音響ユニットを提供することを目的とする。
【００１０】
【課題を解決するための手段】
上記目的を達成するために本発明は、以下の構成を有するものである。
【００１１】
本発明の請求項１に記載の発明は、液晶表示素子を装着する窪部が設けられたケースの開口孔にスピーカを収容すると共に、ケースの上面外周に額縁状のスペーサを貼付し、スペーサ上面に貼付した可撓性を有するシートによって、ケースとの間に所定の閉空間を形成して音響ユニットを構成したものであり、スピーカの音声を閉空間を介してシートへ伝達し、シートを振動させて音声等を再生するように構成されているため、良好な音質が得られると共に、一つのケースにスピーカと液晶表示素子を装着できるため、使用部品数が少なく、機器の製作も容易な音響ユニットを得ることができるという作用を有する。
【００１２】
請求項２に記載の発明は、請求項１記載の発明において、スペーサの厚さを５０〜２００μｍとしたものであり、ケースに当接することなくシートを確実に振動させることができると共に、高音域の音質も良好に再生することができるという作用を有する。
【００１３】
【発明の実施の形態】
以下、本発明の実施の形態について、図１及び図２を用いて説明する。
【００１４】
（実施の形態）
図１は本発明の一実施の形態による音響ユニットの断面図、図２は同分解斜視図であり、同図において、１１は透明または淡色の光透過性でＡＢＳやアクリル等の絶縁樹脂製のケースで、端部に形成された開口孔１１Ａ内にはスピーカ１２が収容され、中間部下面には窪部１１Ｂが設けられている。
【００１５】
また、１３はポリエチレンテレフタレート等のフィルムの上下面に接着剤が塗布された、厚さ５０〜２００μｍの額縁状のスペーサで、ケース１１の上面外周に貼付されている。
【００１６】
そして、このスペーサ１３上面に、厚さ５０〜２００μｍでポリエチレンテレフタレート等のフィルム状の可撓性を有するシート１４が貼付され、スペーサ１３によってケース１１上面とシート１４下面との間に、所定の閉空間１５が形成されている。
【００１７】
さらに、ケース１１下面の窪部１１Ｂには液晶表示素子１６が装着されて、音響ユニットが構成されている。
【００１８】
以上のように構成された音響ユニットは、マイクロフォン等と共に携帯電話等の電子機器に組込まれ、従来の技術の項で説明した場合と同様に、複数の押釦を操作して電話番号等を入力すると、その電話番号が液晶表示素子１６に表示され、その後、通話用の押釦の操作によって電話番号が発信されて通話状態となる。
【００１９】
そして、相手からの音声はスピーカ１２によって再生されるが、この時、スピーカ１２からの音声は閉空間１５に伝わり、この閉空間１５全体の空気を振動させて、シート１４を振動させる。
【００２０】
つまり、スピーカ１２からの音声は閉空間１５を介してシート１４へ伝達され、面積の大きなシート１４の振動によって音声等が再生される。
【００２１】
なお、この時、閉空間１５の高さ、つまりスペーサ１３の厚さが小さすぎると振動の際、シート１４がケース１１上面に当接して充分に振動できず、大きすぎて閉空間１５が広くなると、高音域の音質が劣化するため、スペーサ１３の厚さは５０〜２００μｍ、より好ましくは１００〜１５０μｍとする必要がある。
【００２２】
このように本実施の形態によれば、スピーカ１２の音声を閉空間１５を介してシート１４へ伝達し、シート１４を振動させて音声等を再生するように構成されているため、良好な音質が得られると共に、一つのケース１１にスピーカ１２と液晶表示素子１６を装着できるため、使用部品数が少なく、機器の製作も容易な音響ユニットを得ることができるものである。
【００２３】
また、スペーサ１３の厚さを５０〜２００μｍとすることによって、ケース１１に当接することなくシート１４を確実に振動させることができると共に、高音域の音質も良好に再生することが可能となる。
【００２４】
なお、以上の説明では、スピーカ１２を端部に形成された開口孔１１Ａ内に収容する構成として説明したが、開口孔１１Ａの下面に収容し、開口孔１１Ａから閉空間１５へスピーカ１２の音声を伝達する構成としても、本発明の実施は可能である。
【００２５】
また、複数の開口孔１１Ａを設け、複数のスピーカ１２で音声を再生する構成としてもよい。
【００２６】
さらに、スペーサ１３も、フィルムの上下面に接着剤を塗布したもののほか、シート１４下面外周にエポキシやポリエステル等の樹脂を額縁状に印刷してスペーサを形成し、このスペーサを接着剤でケース１１上面に貼付する構成としてもよい。
【００２７】
【発明の効果】
以上のように本発明によれば、良好な音質が得られると共に、使用部品数が少なく、機器の製作も容易な音響ユニットを得ることができるという有利な効果が得られる。
【図面の簡単な説明】
【図１】本発明の一実施の形態による音響ユニットの断面図
【図２】同分解斜視図
【図３】従来の携帯電話の平面図
【符号の説明】
１１　ケース
１１Ａ　開口孔
１１Ｂ　窪部
１２　スピーカ
１３　スペーサ
１４　シート
１５　閉空間
１６　液晶表示素子
【図１】
2004040621.tif 000003
【図２】
2004040621.tif 000004
【図３】
2004040621.tif 000005